【手続補正書】
【提出日】平成18年4月3日(2006.4.3)
【手続補正１】
【補正対象書類名】特許請求の範囲
【補正対象項目名】全文
【補正方法】変更
【補正の内容】
【特許請求の範囲】
【請求項１】
回路基板と、ベース及びカバーを有して内部に回路基板が設けられた基板ユニットであって、
前記ベース側に設けられる第１封印手段と、前記カバー側に設けられる第２封印手段と、その第１封印手段と第２封印手段とを連結する連結封印部材とを有し、その連結封印部材によって前記第１封印手段と第２封印手段とが連結されている場合に前記回路基板を取り出すときには基板ユニットを破壊するか或いは所定の部位を切断することを必要とする基板ユニットを備えた遊技機において、
第１封印手段は、連結封印部材が挿入される第１封印部が複数並設され、その複数の第１封印部の並設方向に沿って第１封印部と離間した位置に設けられる第１取付部と、その第１取付部と第１封印部とを連結する第１連結部とを備えると共に、
第２封印手段は、連結封印部材が挿入される第２封印部が複数並設され、その複数の第２封印部の並設方向に沿って第２封印部と離間した位置に設けられる第２取付部と、その第２取付部と第２封印部とを連結する第２連結部とを備え、
前記第１封印手段と前記ベースとが前記第１取付部を介して一体または一体的に設けられてベース体を形成し、
前記第２封印手段と前記カバーとが前記第２取付部を介して一体または一体的に設けられてカバー体を形成し、
前記連結封印部材の予備用の部材である予備用連結封印部材と、
前記ベース体またはカバー体の一方に配設され、前記予備用連結封印部材が取り外し可能に保持される予備用部材保持部と、
前記ベース体またはカバー体の他方に配設され、前記第１封印部と第２封印部とが前記連結封印部材により連結されている場合に、前記予備用部材保持部に保持された前記予備用連結封印部材を前記予備用部材保持部から抜け落ちないように係止する予備用部材係止部とを備え、
その予備用部材係止部は、前記第１封印部または第２封印部のいずれかに突設されて、前記第１封印部及び前記第１連結部並びに前記第２封印部及び前記第２連結部とは異なる位置に設けられ、
さらに、前記予備用部材係止部を透明材料で形成することにより、前記予備用部材保持部に保持された前記予備用連結封印部材を前記予備用部材保持部から抜け落ちないように係止した状態においても、前記予備用部材係止部を通して前記予備用連結封印部材を視認できるようにしたことを特徴とする遊技機。
【請求項２】
回路基板と、ベース及びカバーを有して内部に回路基板が設けられた基板ユニットであって、
前記ベース側に設けられる第１封印手段と、前記カバー側に設けられる第２封印手段と、その第１封印手段と第２封印手段とを連結する連結封印部材とを有し、その連結封印部材によって前記第１封印手段と第２封印手段とが連結されている場合に前記回路基板を取り出すときには基板ユニットを破壊するか或いは所定の部位を切断することを必要とする基板ユニットを備えた遊技機において、
第１封印手段は、連結封印部材が挿入される第１封印部が複数並設され、その複数の第１封印部の並設方向に沿って第１封印部と離間した位置に設けられる第１取付部と、その第１取付部と第１封印部とを連結する第１連結部とを備えると共に、
第２封印手段は、連結封印部材が挿入される第２封印部が複数並設され、その複数の第２封印部の並設方向に沿って第２封印部と離間した位置に設けられる第２取付部と、その第２取付部と第２封印部とを連結する第２連結部とを備え、
前記第１封印手段と前記ベースとが前記第１取付部を介して一体または一体的に設けられてベース体を形成し、
前記第２封印手段と前記カバーとが前記第２取付部を介して一体または一体的に設けられてカバー体を形成し、
前記連結封印部材の予備用の部材である予備用連結封印部材と、
前記ベース体またはカバー体の一方に配設され、前記予備用連結封印部材が取り外し可能に保持される予備用部材保持部と、
前記ベース体またはカバー体の他方に配設され、前記第１封印部と第２封印部とが前記連結封印部材により連結されている場合に、前記予備用部材保持部に保持された前記予備用連結封印部材を前記予備用部材保持部から抜け落ちないように係止する予備用部材係止部とを備え、
その予備用部材係止部は、前記第１取付部または第２取付部のいずれかに突設されて、前記第１封印部及び前記第１連結部並びに前記第２封印部及び前記第２連結部とは異なる位置に設けられ、
さらに、前記予備用部材係止部を透明材料で形成することにより、前記予備用部材保持部に保持された前記予備用連結封印部材を前記予備用部材保持部から抜け落ちないように係止した状態においても、前記予備用部材係止部を通して前記予備用連結封印部材を視認できるようにしたことを特徴とする遊技機。
【請求項３】
前記ベースの壁面が前記第１取付部であり、前記カバーの壁面が前記第２取付部であることを特徴とする請求項２記載の遊技機。
【手続補正２】
【補正対象書類名】明細書
【補正対象項目名】全文
【補正方法】変更
【補正の内容】
【発明の詳細な説明】
【発明の名称】遊技機
【技術分野】
【０００１】
本発明はパチンコ機やスロットマシーン等の遊技機に関するものである。
【背景技術】
【０００２】
近年、パチンコ機およびスロットマシーン等の遊技機は、遊技盤に設けられる入賞装置および表示装置等を制御して遊技の興趣を盛り上げるものが主流となっている。この入賞装置および表示装置の制御はＩＣ，ＬＳＩ等の多数の電子部品を搭載したロジック制御回路基板、又は、マイクロコンピュータを搭載した制御回路基板により行われ、これらの制御回路基板はボックスベースおよびボックスカバーを備えた基板ボックスに被包され収納される。
【０００３】
ところで、基板ボックス内に収納された制御回路基板から遊技内容に関する制御情報が記憶されたＲＯＭを取り外し交換して、遊技機の遊技内容を変更する不正行為が近年問題になっている。一方、かかる不正行為の防止対策として、特願平９−１１０７００号（未公知）に記載された基板ボックス封印具等を用いて基板ボックスを封印することにより、基板ボックス内に収納された制御回路基板からＲＯＭを取り外して交換し遊技内容を変更する不正行為を防止する方法が提案されている。
【０００４】
この基板ボックス封印具は、主に、ボックスベースおよびボックスカバーにそれぞれ配設される一対の封印部材と、その一対の封印部材を連結する特殊な封印ねじとを備えている。かかる一対の封印部材の一方には、封印ねじを抜き取り不可能な状態で保持するナット部材が埋設されており、一対の封印部材を互いに対向させつつ当接して、封印ねじをナット部材へねじ込むことにより、その一対の封印部材が封印ねじによって連結され基板ボックスが封印されるのである。
【発明の開示】
【発明が解決しようとする課題】
【０００５】
【０００６】
本発明は、回路基板を確実に封印して、遊技内容を変更する不正行為を防止し、一方、かかる不正行為が行われた場合には、その不正行為を早期に発見することができる遊技機を提供することを目的としている。
【課題を解決するための手段】
【０００７】
この目的を達成するために請求項１記載の遊技機は、回路基板と、ベース及びカバーを有して内部に回路基板が設けられた基板ユニットであって、前記ベース側に設けられる第１封印手段と、前記カバー側に設けられる第２封印手段と、その第１封印手段と第２封印手段とを連結する連結封印部材とを有し、その連結封印部材によって前記第１封印手段と第２封印手段とが連結されている場合に前記回路基板を取り出すときには基板ユニットを破壊するか或いは所定の部位を切断することを必要とする基板ユニットを備えたものであり、第１封印手段は、連結封印部材が挿入される第１封印部が複数並設され、その複数の第１封印部の並設方向に沿って第１封印部と離間した位置に設けられる第１取付部と、その第１取付部と第１封印部とを連結する第１連結部とを備えると共に、第２封印手段は、連結封印部材が挿入される第２封印部が複数並設され、その複数の第２封印部の並設方向に沿って第２封印部と離間した位置に設けられる第２取付部と、その第２取付部と第２封印部とを連結する第２連結部とを備え、前記第１封印手段と前記ベースとが前記第１取付部を介して一体または一体的に設けられてベース体を形成し、前記第２封印手段と前記カバーとが前記第２取付部を介して一体または一体的に設けられてカバー体を形成し、前記連結封印部材の予備用の部材である予備用連結封印部材と、前記ベース体またはカバー体の一方に配設され、前記予備用連結封印部材が取り外し可能に保持される予備用部材保持部と、前記ベース体またはカバー体の他方に配設され、前記第１封印部と第２封印部とが前記連結封印部材により連結されている場合に、前記予備用部材保持部に保持された前記予備用連結封印部材を前記予備用部材保持部から抜け落ちないように係止する予備用部材係止部とを備え、その予備用部材係止部は、前記第１封印部または第２封印部のいずれかに突設されて、前記第１封印部及び前記第１連結部並びに前記第２封印部及び前記第２連結部とは異なる位置に設けられ、さらに、前記予備用部材係止部を透明材料で形成することにより、前記予備用部材保持部に保持された前記予備用連結封印部材を前記予備用部材保持部から抜け落ちないように係止した状態においても、前記予備用部材係止部を通して前記予備用連結封印部材を視認できるように構成されている。
請求項２記載の遊技機は、回路基板と、ベース及びカバーを有して内部に回路基板が設けられた基板ユニットであって、前記ベース側に設けられる第１封印手段と、前記カバー側に設けられる第２封印手段と、その第１封印手段と第２封印手段とを連結する連結封印部材とを有し、その連結封印部材によって前記第１封印手段と第２封印手段とが連結されている場合に前記回路基板を取り出すときには基板ユニットを破壊するか或いは所定の部位を切断することを必要とする基板ユニットを備えたものであり、第１封印手段は、連結封印部材が挿入される第１封印部が複数並設され、その複数の第１封印部の並設方向に沿って第１封印部と離間した位置に設けられる第１取付部と、その第１取付部と第１封印部とを連結する第１連結部とを備えると共に、第２封印手段は、連結封印部材が挿入される第２封印部が複数並設され、その複数の第２封印部の並設方向に沿って第２封印部と離間した位置に設けられる第２取付部と、その第２取付部と第２封印部とを連結する第２連結部とを備え、前記第１封印手段と前記ベースとが前記第１取付部を介して一体または一体的に設けられてベース体を形成し、前記第２封印手段と前記カバーとが前記第２取付部を介して一体または一体的に設けられてカバー体を形成し、前記連結封印部材の予備用の部材である予備用連結封印部材と、前記ベース体またはカバー体の一方に配設され、前記予備用連結封印部材が取り外し可能に保持される予備用部材保持部と、前記ベース体またはカバー体の他方に配設され、前記第１封印部と第２封印部とが前記連結封印部材により連結されている場合に、前記予備用部材保持部に保持された前記予備用連結封印部材を前記予備用部材保持部から抜け落ちないように係止する予備用部材係止部とを備え、その予備用部材係止部は、前記第１取付部または第２取付部のいずれかに突設されて、前記第１封印部及び前記第１連結部並びに前記第２封印部及び前記第２連結部とは異なる位置に設けられ、さらに、前記予備用部材係止部を透明材料で形成することにより、前記予備用部材保持部に保持された前記予備用連結封印部材を前記予備用部材保持部から抜け落ちないように係止した状態においても、前記予備用部材係止部を通して前記予備用連結封印部材を視認できるように構成されている。
この請求項１又は２に記載の遊技機によれば、回路基板をベースまたはカバー内に収納し、ベースに設けられた第１封印手段とカバーに設けられた第２封印手段とを対向させつつ、ベースとカバーとを合致させることにより、回路基板が基板ユニットに被包される。回路基板の被包後、連結封印部材によって第１封印手段と第２封印手段とを連結することにより、基板ユニット内に回路基板が封印される。
請求項３記載の遊技機は、請求項２記載の遊技機において、前記ベースの壁面が前記第１取付部で構成され、前記カバーの壁面が前記第２取付部で構成されている。
【発明の効果】
【０００８】
本発明の遊技機によれば、回路基板をベースまたはカバー内に収納し、ベースに配設された第１封印部手段とカバーに配設された第２封印手段とを対向させつつ、ベースにカバーを合致させることにより、回路基板が基板ユニットに設置される。回路基板の設置後、連結封印部材によって第１封印部と第２封印部とを連結することにより、基板ユニットに設けられた回路基板が封印される。
よって、基板ユニットに設けられた回路基板の制御用ＲＯＭ等を不適法に取り外して、遊技機の遊技内容を変更する不正行為を防止することができる。また、第１封印部または第２封印部を破壊、切断等すれば基板ユニットを開封することができるが、その場合には、基板ユニットが開封された痕跡を確実に残すことができる。即ち、不正行為が行われたか否かを即座に発見することができるという効果がある。
また、このようにして基板ユニットが封印されると、予備用部材保持部に保持された予備用連結封印部材は、予備用部材係止部により、確実に係止され、予備用部材保持部から抜け落ちることが防止される。よって、予備用連結封印部材の紛失を防止することができるという効果がある。
【発明を実施するための最良の形態】
【０００９】
以下、本発明の好ましい実施例について、添付図面を参照して説明する。図１は、本発明の遊技機用基板ボックス封印具の一実施例であるボックス封印具１０を有する基板ボックス１が配設されたパチンコ機５０の裏面図である。図１に示すように、ボックス封印具１０を有する基板ボックス１は、遊技機の一種であるパチンコ機５０の遊技盤５１の裏面に設けられた入賞球集合カバー５２に取り付けられている。基板ボックス１は、パチンコ機５０の遊技内容に関する制御プログラムやデータを記憶したＲＯＭ等の電子部品（制御部品）が搭載された制御回路基板４（図２参照）を被包するためのものであり、主に、ボックス本体２と、そのボックス本体２に覆設されるボックス蓋体３とを備えている。
【００１０】
このボックス本体２およびボックス蓋体３は、ポリカーボネート樹脂等の耐衝撃性を有する透明な合成樹脂等でそれぞれ構成されている。この基板ボックス１の互いに対向する上下壁面には（図１上側および下側）、制御回路基板４（図２参照）への不正行為を防止するために基板ボックス１を封印する一対のボックス封印具１０が一体成形されており、このボックス封印具１０は基板ボックス１の一部を構成している。尚、図１では、基板ボックス１により被包される制御回路基板４を省略して図示している。
【００１１】
図２は、ボックス封印具１０を有する基板ボックス１の分解斜視図であり、図２中の矢印は、ボックス本体２にボックス蓋体３を結合するため、ボックス本体２に対してボックス蓋体３をスライドさせる方向を図示している。図２に示すように、ボックス本体２およびボックス蓋体３は、いずれも略矩形皿状に形成されており、制御回路基板４をボックス本体２内に収納した状態で、互いの開口面を対向させ合致（合体）させることにより、制御回路基板４を基板ボックス１内に被包することができる。尚、図２では、ボックス封印具１０における封印ユニット２０，３０の封印部材２１，３１の外形を概略的に図示している。
【００１２】
ボックス本体２は、制御回路基板４が載置される略平板状の底板２ａと、その底板２ａの長手方向における両端部に上方へ向けて立設された一対の側壁２ｂ，２ｃとを備えている。また、ボックス蓋体３は、ボックス本体２の底板２ａに対向しつつボックス本体２の上部を覆う略平板状の天板３ａと、その天板３ａの長手方向における両端部に下方へ向けて立設された一対の側壁３ｂ，３ｃと、天板３ａの後側縁部から外方へ向け下降傾斜して形成された傾斜壁３ｄとを備えている。尚、図２では、制御回路基板４に搭載されるＲＯＭ等の電子部品を省略して図示している。
【００１３】
ボックス本体２の底板２ａの後側縁部分（図２の後側）には、矩形状の開口された切欠部２ｄが形成されており、その切欠部２ｄの下方縁部分には、矩形枠状に形成された４つの係合枠２ｄ１が底板２ａの長手方向に略等間隔で形成されている。この各係合枠２ｄ１はボックス蓋体３の各係合爪３ｄ１と係合するためのものであり、各係合枠２ｄ１には係合爪３ｄ１が挿入可能な挿入穴２ｄ２がそれぞれ穿設されている。係合爪３ｄ１は、ボックス蓋体３の傾斜壁３ｄの下方に配設されており、上述した各係合枠２ｄ１に対応しつつ略等間隔で４つ隣接配設されている。この各係合爪３ｄ１の先端部分は略Ｊ字状にそれぞれ屈曲されて形成されており、かかる係合爪３ｄ１の先端部分を係合枠２ｄ１の挿入穴２ｄ２に挿入することにより、各係合爪３ｄ１が各係合枠２ｄ１に係合されるのである。
【００１４】
また、各係合爪３ｄ１の長手方向幅は、各挿入穴２ｄ２の長手方向幅より幅狭に形成されているので、各係合爪３ｄ１が挿入穴２ｄ２に挿入された場合に、挿入穴２ｄ２および係合爪３ｄ１の長手方向幅の差分長さだけ、ボックス本体２に対してボックス蓋体３をその長手方向へスライドさせることができる。
【００１５】
ボックス本体２の底板２ａの前側縁部（図２の手前側）には、矩形状に開口された切欠部２ｅが形成されており、この切欠部２ｅは、ボックス蓋体３がボックス本体２に覆設された場合に、基板ボックス１に収納された制御回路基板４に接続されるケーブルを導出するための導出口を形成する。また、ボックス本体２の側壁２ｂ，２ｃの上部にはボックス封印具１０の封印ユニット２０がそれぞれ配設されており、ボックス蓋体３の側壁３ｂ，３ｃには各封印ユニット２０に対向して封印ユニット３０がそれぞれ配設されている。尚、ボックス封印具１０の封印ユニット２０，３０についての説明は後述する。
【００１６】
ボックス本体２の側壁２ｂおよびボックス蓋体３の側壁３ｃには矩形板状のロック板２ｆ，３ｆが外方へ向けて突設されており、ボックス本体２の側壁２ｃおよびボックス蓋体３の側壁３ｂにはロック板３ｆ，２ｆが係合される矩形平板状の係合板２ｇ，３ｇが配設されている。この係合板２ｇ，３ｇにはロック板３ｆ，２ｆが挿入可能な挿入口２ｈ，３ｈが穿設されており、ボックス本体２に合致されたボックス蓋体３を矢印方向へスライドさせると、かかる挿入口２ｈ，３ｈへロック板３ｆ，２ｆをそれぞれ挿入することができる。その結果、ロック板２ｆ，３ｆおよび係合板３ｇ，２ｇが係合され、ボックス本体２およびボックス蓋体３を結合することができる。
【００１７】
ボックス蓋体３の上面には略矩形状の凹部３ｅが２箇所に凹設されており、各凹部３ｅには木ねじ等が挿入される通穴３ｅ１がそれぞれ穿設されている。この各通穴３ｅ１は、制御回路基板４に配置される仕切板５の上面に凹設された２つのねじ穴５ａに対応して穿設されており、ボックス本体２にボックス蓋体３を覆設した場合に、各通穴３ｅ１へ挿入された木ねじ等を各ねじ穴５ａにねじ込むことにより、ボックス蓋体３と仕切板５とを連結することができる。
【００１８】
各凹部３ｅは封印シールを貼付するための部分であり、封印シールが貼付された場合に、封印シールがボックス蓋体３の上面より一段低い部分に貼付されることとなるので、貼付された封印シールが何かに引っかかり剥がれてしまうことが防止され、封印シールを位置決めしつつ貼付することができる。
【００１９】
尚、封印シールは、特殊な粘着部が塗布されたシール材で構成されており、この封印シールが貼付された後に剥がされると、シール材から粘着部が剥がれてしまう。よって、一度剥がされた封印シールを再度貼付することができないので、封印シールが不正に剥がされた場合には、かかる不正行為を容易に発見することができるのである。
【００２０】
また、各凹部３ｅに貼付される封印シールは、ボックス本体２に跨って貼付され、基板ボックス１の開封を防止するように貼付される。この場合、各封印シールは各通穴３ｅ１に覆い被さるように貼付されるので、各通穴３ｅ１に挿入された木ねじ等の抜き取り行為を防止することができる。更に、各封印シールはロック板２ｆ，３ｆが係合された係合板３ｇ，２ｇに跨って貼付される。よって、各封印シールを剥がさずに、基板ボックス１を開封するには、各封印シールを３カ所ずつ切断する必要がある。即ち、一方の封印シールについては、係合板３ｇの下端部分と挿入口３ｈに挿入されたロック板２ｆの上下端面部分の３カ所を、また、他方の封印シールについては係合板２ｇの上端部分と挿入口２ｈに挿入されたロック板３ｆの上下端面部分の３カ所を切断しなければならない。よって、基板ボックス１を不正に開封し、かかる開封行為を隠蔽する場合、封印シールの複数の切断箇所を接合する必要があり、隠蔽作業を容易に行うことができない。その結果、基板ボックス１の不正な開封行為を防止することができる。
【００２１】
ボックス蓋体３の側壁３ｃの内側面には略Ｌ字板状の内壁板３ｊが隣接して形成されている。この内壁板３ｊは、天板３ａ下面から下方へ向けて立設されており、その下端が側壁３ｃの下端より下側に位置するように形成されている。即ち、ボックス蓋体３がボックス本体２に覆設された場合に、内壁板３ｊの下端はボックス本体２の側壁２ｃの上端より下方へ突出するのである。よって、ボックス本体２に覆設されたボックス蓋体３を矢印方向へスライドした場合に、内壁板３ｊの下端部分をボックス本体２の側壁２ｃの上端部分に引っ掛けることができる。このように、内壁板３ｊが側壁２ｃに引っ掛かることにより、ボックス蓋体３の矢印方向へのスライドを停止させることができ、ボックス蓋体３をボックス本体２に確実に合致させることができる。
【００２２】
制御回路基板４は矩形薄板状に形成されており、その前側両端部分には制御回路基板４をボックス本体２にねじ止めするための木ねじ等を挿入可能な２つの通穴４ａが穿設されている。仕切板５は、耐衝撃性を有するポリカーボネート樹脂等の合成樹脂等で構成されており、制御回路基板４の前側縁部分に配置され制御回路基板４と共にボックス本体２に取着可能に形成されている。よって、ボックス本体２とボックス蓋体３とを合体させた場合に、仕切板５により基板ボックス１の内外部を仕切ることができるので、基板ボックス１の外部からの制御回路基板４への接触行為を防止することができるのである。尚、図２では、制御回路基板４の上面に搭載されるＲＯＭ等の電子部品を省略して図示している。
【００２３】
仕切板５上面の長手方向両端部には、木ねじ等（図示せず）がねじ込まれるねじ穴５ａがそれぞれ穿設されている。各ねじ穴５ａは、ボックス蓋体３と仕切板５とを連結するためのものであり、ボックス蓋体３の上面に穿設された２つの通穴３ｅ１に対応して穿設されている。各ねじ穴５ａの前側部分には、仕切部材５をボックス本体２にねじ止めするための木ねじ等を挿入可能な凹部５ｂが凹設されており、その各凹部５ｂの内部下端には、制御回路基板４の各通穴４ａに対応して木ねじ等を挿入可能な穴部（図示せず）がそれぞれ穿設されている。よって、制御回路基板４をボックス本体２内に載置し、その制御回路基板４の前側縁部に仕切板５を配置した後、各凹部５ｂから各凹部５ｂの穴部および制御回路基板４の各通穴４ａへ木ねじ等を挿入し、その木ねじ等をボックス本体２の底板２ａへねじ込むことにより、制御回路基板４および仕切板５をボックス本体２にねじ止めすることができる。
【００２４】
また、ボックス本体２の底板２ａの下面には、遊技機５０に配設された薄板鋼材等で構成された薄皿状の取付部材５３（図１参照）に基板ボックス１を掛止するためのボックスロック板６が取着される。このボックスロック板６は透明なＡＢＳ樹脂等の合成樹脂等で略台形薄板状に形成されており、ボックス本体２の底板２ａの下面にねじ止め等により取着される。
【００２５】
図３は、基板ボックス１に配設されたボックス封印具１０の拡大斜視図である。図３に示すように、上述したボックス封印具１０は、基板ボックス１を封印するための封印ねじ１１と、その封印ねじ１１が螺入されるナット１２と、封印ねじ１１を係止するためのストッパ部材（抜け止め手段）１３と、ナット１２およびストッパ部材１３が配置される４つの封印部材２１を有する封印ユニット２０と、各封印部材２１に対向してボックス蓋体３に配設される４つの封印部材３１を有する封印ユニット３０と、封印ねじ１１の予備用の部材である予備ねじ１１１とを備えている。
【００２６】
封印ねじ１１は、封印ユニット２０，３０における各封印部材２１，３１を連結するためのものであり、ステンレス鋼材等の金属材料で構成されている。封印ねじ１１は、封印部材２１，３１に挿入される略円柱状の軸部１１ａを備え、その軸部１１ａの先端部１１ｃにはストッパ部材１３の内孔１３ｂを押し広げるための先細状のテーパ部Ｔ１が形成され、そのテーパ部Ｔ１の上部にはストッパ部材１３の内孔１３ｂが填り込み可能な係止溝１１ｆが周設されている。
【００２７】
この係止溝１１ｆの上部にはおねじの螺刻されたおねじ部１１ｄが形成されており、おねじ部１１ｄはナット１２内に螺刻されためねじ部１２ｃに螺合可能に形成されている。また、おねじ部１１ｄの上部には円柱状の非おねじ部１１ｅが形成されており、非おねじ部１１ｅの外径はナット１２のめねじ部１２ｃの内径より小さく形成されている。よって、封印ねじ１１がナット１２に螺入され基板ボックス１が封印された場合、封印ねじ１１の非おねじ部１１ｅをナット１２のめねじ部１２ｃ内に挿設することができる（図５参照）。
【００２８】
軸部１１ａの上端には略半球状の頭部１１ｂが一体成形されている。頭部１１ｂは、その外径が軸部１１ａの外径より大きく形成され、封印部材３１の係合穴３１ａに係合可能に形成されている。また、頭部１１ｂの上面には、スクリュードライバ等のねじ回し工具が係合可能な上面視略十字状の係合溝１１ｇが凹設されている。よって、この係合溝１１ｇにスクリュードライバ等のねじ回し工具を係合させることにより、封印ねじ１１をねじ込み方向および反ねじ込み方向の双方に回転することができる。尚、封印ねじ１１と予備ねじ１１１は略同一形状に形成されているので、予備ねじ１１１の説明は省略する。
【００２９】
ナット１２は、封印ねじ１１およびストッパ部材１３を封印部材２１内に保持するためのものであり、封印部材２１に嵌合可能に形成されている。ナット１２は、真鍮等の金属材料から構成されており、略円盤状に形成されたナット頭部１２ａと、そのナット頭部１２ａより外径が小さく形成された略円柱状の円筒部１２ｂと、封印ねじ１１のおねじ部１１ｄに螺合可能なめねじが形成されためねじ部１２ｃと、そのめねじ部１２ｃに連通して穿設された保持穴１２ｄ（図５参照）とを備えている。
【００３０】
ナット頭部１２ａは、封印部材２１の嵌合穴２１ａに嵌合可能に形成されており、そのナット頭部１２ａの下方に形成された円筒部１２ｂは、封印部材２１の嵌合穴２１ｂに嵌合可能に形成されている。この円筒部１２ｂの外周面にはローレット切りが施されているので、嵌合穴２１ｂに嵌合された際に円筒部１２ｂの外周面を嵌合穴２１ｂの内壁に引っ掛かけることができる。よって、ナット１２を嵌合穴２１ｂ内に保持することができ、ナット１２の抜き取りを抑制することができる（図５参照）。
【００３１】
ストッパ部材１３は、封印ねじ１１の係止溝１１ｆを介して、封印ねじ１１を封印部材２１内に係止するためのものであり、バネ鋼材等を用いて上面視略Ｏ字形に形成されたプッシュナットである。ストッパ部材１３は、その略中央部分に略すり鉢状に凹設された受け部１３ａを有しており、この受け部１３ａの略中央部分には、略円形状の内孔１３ｂが穿設されている。このため、このストッパ部材１３の受け部１３ａは、封印ねじ１１の先端部１１ｃを、内孔１３ｂへと案内することができる。
【００３２】
受け部１３ａには、複数の切欠が略等配分で設けられており、かかる切欠は内孔１３ｂに連通して形成されている。よって、ストッパ部材１３の内孔１３ｂに封印ねじ１１の先端部１１ｃが挿入された場合に、先端部１１ｃのテーパ部Ｔ１を介して受け部１３ａを弾性変形させて、ストッパ部材１３の内孔１３ｂを押し広げることができるのである。尚、ストッパ部材１３は、封印部材２１の嵌合穴２１ｂ内であって、ナット１２の下方に配置される（図５参照）。
【００３３】
封印ユニット２０は、封印ねじ１１および封印ユニット３０を介して、基板ボックス１を封印するためのものである。封印ユニット２０は、ボックス本体２と同様に、ポリカーボネート樹脂等の耐衝撃性を有する透明な合成樹脂材料で形成されており、ボックス本体２の側壁２ｂ，２ｃにそれぞれ配設されている（図２参照）。この封印ユニット２０は、ナット１２およびストッパ部材１３が配置される４つの封印部材２１と、各封印部材２１とボックス本体２の側壁２ｂ（側壁２ｃ）とを互いに連結する４つの連結部材２２と、封印ねじ１１の予備用の部材である予備ねじ１１１を保持するために設けられた３つの予備ねじ保持部材２３とを備えている。
【００３４】
封印部材２１は、略円柱状に形成されており、その一部が平板状の連結部材２２によりボックス本体２の側壁２ｂに連結されている。連結部材２２により連結された封印部材２１とボックス本体２の側壁２ｂとの間には、ニッパ等の工具の刃先が入り込むことが可能な間隔が形成されており、連結部材２２を切断して封印部材２１を除去する場合に、ニッパ等の工具を用いて連結部材２２を容易に切断することができる。尚、図２に示すように、ボックス本体２の側壁２ｃにも同様に、連結部材２２により封印部材２１が連結されている。
【００３５】
ボックス本体２の側壁２ｂに配設された４つの封印部材２１のうち、後側（図３の右側）に配設された３つの封印部材２１の外周面の前側（図３の左側）には、略板状の予備ねじ保持部材２３がそれぞれ一体に形成されている。この予備ねじ保持部材２３は、予備ねじ１１１を保持するためのものであり、その上面には、予備ねじ１１１を挿入可能に形成された予備ねじ保持穴２３ａが穿設されている。予備ねじ保持穴２３ａは略Ｃ字形に形成されており、その一部には切欠が設けられている。よって、予備ねじ保持穴２３ａ内への予備ねじ１１１の挿入に伴って、予備ねじ保持穴２３ａの内径を拡大することができる。尚、図２に示すように、ボックス本体２の側壁２ｃに配設された封印ユニット２０にあっては、４つの封印部材２１のうち、前側（図２の左側）に配設された３つの封印部材２１の外周面の後側（図２の右側）に、予備ねじ保持部材２３がそれぞれ一体に形成されている。
【００３６】
封印部材２１の上面部分、即ち、封印部材３１との当接面（対向面）であって、側壁２ｂ側の半周部分には、上面視略Ｃ字状の周壁２４が上方へ向けて凸設されている。この周壁２４は封印部材３１の下面外周に凹設された嵌合溝３５（図４参照）に適合して形成されており、ボックス蓋体３がボックス本体２に覆設され封印部材２１，３１が合致された場合に、かかる周壁２４を封印部材３１の嵌合溝３５に填め込むことができる。また、封印部材２１の上面部分であって、反側壁２ｂ側の半周部分には、上面視略Ｃ字状の段差である嵌合溝２５が凹設されている。この嵌合溝２５は封印部材３１の下面外周に凸設された周壁３４に適合して形成されており、ボックス蓋体３がボックス本体２に覆設され封印部材２１，３１が合致された場合に、かかる嵌合溝２５に封印部材３１の周壁３４を填め込むことができる。
【００３７】
尚、ボックス本体２の側壁２ｃに配設された封印ユニット２０の各封印部材２１では、周壁２４は、封印部材３１との当接面であって、反側壁２ｃ側の半周部分に凸設され、かつ、嵌合溝２５は封印部材３１との当接面であって、側壁２ｃ側の半周部分に凹設されている。
【００３８】
封印ユニット３０は、封印ねじ１１と封印ユニット２０とを介して、基板ボックス１を封印するためのものである。封印ユニット３０は、ボックス蓋体３と同様に、ポリカーボネート樹脂等の耐衝撃性を有する透明な合成樹脂材料で形成されており、基板ボックス１のボックス蓋体３の側壁３ｂ、３ｃにそれぞれ配設されている。この封印ユニット３０は、封印ねじ１１が係合される４つの封印部材３１と、各封印部材３１とボックス蓋体３の側壁３ｂ（側壁３ｃ）とを互いに連結するための４つの連結部材３２と、予備ねじ１１１の頭部１１ｂの上方を覆う３つの予備ねじ保持板３３とを備えている。
【００３９】
各封印部材３１は、それぞれ略円柱状に形成されており、封印ユニット２０の各封印部材２１のそれぞれと対向しつつ、連結部材３２によりボックス蓋体３の側壁３ｂに連結されている。また、連結部材３２により連結された封印部材３１とボックス蓋体３の側壁３ｂとの間には、ニッパ等の工具の刃先が入り込むことが可能な間隔が形成されている。よって、連結部材３２を切断して封印部材３１を除去する場合に、ニッパ等の工具を用いて連結部材３２を容易に切断することができる。尚、図２に示すように、ボックス蓋体３の側壁３ｃにも同様に、連結部材２２により封印部材２１が連結されている。
【００４０】
各封印部材３１の上面には、封印ねじ１１の頭部１１ｂと係合される係合穴３１ａと、その係合穴３１ａに連通した挿入穴３１ｂ（図５参照）とが穿設されている。係合穴３１ａの内径は、封印ねじ１１の頭部１１ｂの外径より大きく形成されており、その深さ、即ち、封印部材３１の上面から係合穴３１ａの底面までの長さは、封印ねじ１１の頭部１１ｂの長さより大きく形成されている。よって、封印ねじ１１の頭部１１ｂを封印部材３１の上面から突出させることなく、封印部材３１の係合穴３１ａ内に係合させることができる（図５参照）。
【００４１】
ボックス蓋体３の側壁３ｂに配設された４つの封印部材３１のうち、前側（図３の左側）に配設された３つの封印部材３１の外周面の後側（図３の右側）には、略平板状の予備ねじ保持板３３がそれぞれ一体に形成されている。この予備ねじ保持板３３は、予備ねじ保持部材２３に保持された予備ねじ１１１の頭部１１ｂを上方から押さえるためのものである。各予備ねじ保持板３３の上面には、「２」から「４」までの番号表示Ｋがそれぞれ表示されている。各番号表示Ｋは、封印ユニット３０の成形と同時に型枠を用いて形成されており、各一対の封印部材２１，３１が封印される順番を表している。尚、この各番号表示Ｋを付す方法としては、「２」から「４」の数字を印刷した合成樹脂等のシート等を各予備ねじ保持板３３の上面に貼付等したりしても良い。
【００４２】
各予備ねじ保持板３３は、それらが形成されている各封印部材３１に対向する封印部材２１の後側に隣接する封印部材２１の予備ねじ保持部材２３に保持されている予備用封印部材１１１を上方から押さえることができる。例えば、「２」の番号表示Ｋが付された予備ねじ保持板３３は、その後側に隣接する（側壁３ｂの最も後側に位置する）封印部材３１と対向する封印部材２１の予備ねじ保持部材２３に保持された予備ねじ１１１の頭部１１ｂの上方に覆設され、予備ねじ１１１を押さえることができる。
【００４３】
また、予備ねじ保持板３３を介して予備ねじ保持部材２３に保持された予備ねじ１１１を取り出す場合には、連結部材２２または連結部材３２のいずれかを切断すると、予備ねじ保持板３３による予備ねじ１１１の覆設が解除される。その結果、予備ねじ１１１を予備ねじ保持穴２３ａから容易に取り外すことができるとともに、かかる予備ねじ１１１を用いて、封印部材２１，３１を連結して、基板ボックス１を再度封印することができる。    
【００４４】
尚、図２に示すように、ボックス蓋体３の側壁３ｃに配設された封印ユニット３０にあっては、４つの封印部材３１のうち、後側（図２の右側）に配設された３つの封印部材２１の外周面の前側（図２の左側）に、予備ねじ保持板３３がそれぞれ一体に形成されている。
【００４５】
図４は、天板３ａを下方へ向けた状態のボックス蓋体３の部分的拡大図である。図４に示すように、封印部材３１の上面部分（図２では下面部分である）、即ち、封印部材２１との当接面（対向面）であって、反側壁３ｂ側の半周部分には、上面視略Ｃ字状の周壁３４が上方へ向けて凸設されている。この周壁３４は封印部材２１に凹設された嵌合溝２５（図３参照）に適合して形成されており、ボックス蓋体３がボックス本体２に覆設され封印部材２１，３１が合致された場合に、かかる周壁３４を封印部材３１の嵌合溝２５に填め込むことができる。また、封印部材３１の上面部分であって、側壁３ｂ側の半周部分には、上面視略Ｃ字状の段差である嵌合溝３５が凹設されている。この嵌合溝３５は封印部材２１に凸設された周壁２４に適合して形成されており、ボックス蓋体３がボックス本体２に覆設され封印部材２１，３１が合致された場合に、封印部材２１の周壁２４が填め込むことができる。
【００４６】
尚、ボックス蓋体３の側壁３ｃに配設された封印ユニット３０の各封印部材３１では、周壁３４は封印部材２１との当接面であって、側壁３ｃ側の半周部分に凸設され、かつ、嵌合溝３５は封印部材２１との当接面であって、反側壁３ｃ側の半周部分に凹設されている。
【００４７】
図５は、基板ボックス１を封印した状態におけるボックス封印具１０の部分断面図であり、図中の矢印はボックス蓋体３のスライド方向を示している。図５に示すように、上述したナット１２およびストッパ部材１３は、封印部材２１の内部に配置されており、ナット１２の円筒部１２ｂの下方にストッパ材１３が配置されている。ナット１２のめねじ部１２ｃの内径は、封印ねじ１１の非おねじ部１１ｅの外径と比較して大きく形成されており、めねじ部１２ｃ内に非おねじ部１１ｅを挿設することができる。また、保持穴１２ｄは、めねじ部１２ｃと連通して穿設されており、その内径は封印ねじ１１のおねじ部１１ｄの外径より大きく形成されている。よって、封印ねじ１１がナット１２のめねじ部１２ｃに螺入されて基板ボックス１が封印された場合、封印ねじ１１のおねじ部１１ｄを保持穴１２ｄ内に挿設することができる。
【００４８】
封印部材２１の内部には、内径の異なる複数の同心状の嵌合穴２１ａ，２１ｂ，２１ｃが連通してそれぞれ形成されており、これらの内径は嵌合穴２１ａ，２１ｂ，２１ｃの順に大きく形成されている。嵌合穴２１ａは、封印部材２１の上面に形成されており、ナット１２のナット頭部１２ａが嵌合可能に形成されている。この嵌合穴２１ａの深さ、即ち、封印部材２１の上面から嵌合穴２１ａの底面までの長さはナット１２のナット頭部１２ａの厚さ（軸方向長さ）と略同一に形成されている。よって、嵌合穴２１ａに嵌合されたナット１２の上端部が封印部材２１の上面から突出することを防止することができる。従って、ボックス蓋体３をボックス本体２に対して（図２の矢印方向へ）スライドさせる際に、封印部材３１の下面部分がナット１２の上端部分に引っ掛かることが防止されるので、ボックス蓋体３を滑らかにスライドさせて、封印部材２１，３１を合致させることができる。
【００４９】
嵌合穴２１ｂは、嵌合穴２１ａに連通して形成されており、ナット１２の円筒部１２ｂが嵌合可能に形成されている。この嵌合穴２１ｂの深さ、即ち、嵌合穴２１ａの底面から嵌合穴２１ｂの底面までの長さは、ナット１２の円筒部１２ｂの軸方向長さより大きく形成されており、円筒部１２ｂの下面と嵌合穴２１ｂの底面との間にストッパ部材１３を保持する空間を形成することができる。また、嵌合穴２１ｂと嵌合穴２１ｃとの連結部分には、面取り部Ｃが形成されており、ストッパ部材１３の受け部１３ａが嵌合される。よって、ストッパ部材１３は、面取り部Ｃを介して嵌合穴２１ｂの底面に位置決めされるとともに、ナット１２の円筒部１２ｂ下面により押さえ付けられることがない。従って、ストッパ部材１３の内孔１３ｂ内に封印ねじ１１の先端部１１ｃを容易に挿入することができるとともに、ストッパ部材１３を容易に弾性変形させることができる。
【００５０】
嵌合穴２１ｃは、嵌合穴２１ｂに連通して形成されており、封印ねじ１１の先端部１１ｃが嵌合可能に形成されている。この嵌合穴２１ｃの深さ、即ち、嵌合穴２１ｂの底面から嵌合穴２１ｃの底面までの長さは、封印ねじ１１の先端部１１ｃの軸方向長さより大きく形成されており、嵌合穴２１ｃの底面に封印ねじ１１の先端部１１ｃ下面を当接させてしまうことがない。
【００５１】
また、上述した封印部材３１の挿入穴３１ｂの内径は、封印ねじ１１の頭部１１ｂの外径より小さく形成されるとともに、封印ねじ１１のおねじ部１１ｄの外径より大きく形成されている。よって、封印ねじ１１のおねじ部１１ｄを挿入穴３１ｂを貫通させて、ナット１２のめねじ部１２ｃに螺合させることができる。また、封印ねじ１１の係止溝１１ｆがストッパ部材１３により係止されて封印ねじ１１が封印部材２１内に取り外し不可能な状態で保持された場合、封印ねじ１１の頭部１１ｂは係合穴３１ａ内に係合される。従って、封印部材２１，３１は封印ねじ１１により分離不可能に連結され、基板ボックス１は開封不可能な状態で封印することができるのである。
【００５２】
図５に示すように、封印部材２１，３１が対向しつつ合致され封印ねじ１１により連結された場合、封印部材２１の上面部分に凸設された周壁２４は、封印部材３１の下面部分に凹設された嵌合溝３５に填り込み、封印部材３１の下面部分に凸設された周壁３４は、封印部材２１の上面部分に凹設された嵌合溝２５に填り込んでいる。よって、封印部材２１，３１の当接面の間、即ち、周壁２４と嵌合溝３５との当接面の間、又は、周壁３４と嵌合溝２５との当接面の間へ薄板状の工具等を差し込み、封印ねじ１１をナット１２およびストッパ部材１３ごと封印部材２１から引き抜き、基板ボックス１を開封しようとしても、薄板状の工具等の先端部分が周壁２４，３４又は嵌合溝２５，３５に引っ掛かるので、その差し込みを防止することができる。
【００５３】
例えば、図５の右側部分における嵌合溝２５と周壁３４との当接面の間へ薄板状の工具等を差し込んで、封印ねじ１１をナット１２およびストッパ部材１３ごと封印部材２１から引き抜き、基板ボックス１を開封しようとしても、薄板状の工具等の先端部分が嵌合溝２５に当たるので、薄板状の工具等の差し込みを防止することができる。従って、基板ボックス１のこじ開けが防止されて、基板ボックス１に収納された制御回路基板４からＲＯＭ等を取り外して交換し、パチンコ機５０の遊技内容を変更する不正行為を防止することができるのである。
【００５４】
図６は、予備ねじ１１１を保持した状態におけるボックス封印具１０の部分断面図である。図６に示すように、上述した予備ねじ保持部材２３の予備ねじ保持穴２３ａは、予備ねじ保持部材２３の上端面側の内径（上端側内径）より、予備ねじ保持部材２３の下端面側の内径（下端側内径）を小さくしたテーパ部Ｔ２を有しており、その上端側内径は、予備ねじ１１１のおねじ部１１ｄの外径と比較して大きく形成されている。よって、このテーパ部Ｔ２を介して、予備ねじ１１１を予備ねじ保持穴２３ａ内へ容易に挿入することができる。また、予備ねじ保持穴２３ａの下端側内径は、予備ねじ１１１のおねじ部１１ｄの外径と比較して小さく形成されている。よって、予備ねじ１１１を予備ねじ保持穴２３ａへ挿入した場合、予備ねじ１１１の頭部１１ｂの下端面と予備ねじ保持部材２３の上端面とが当接するまで、予備ねじ１１１が押し込まれると、予備ねじ保持穴２３ａの下端部分と予備ねじ１１１のおねじ部１１ｄとが係合して、予備ねじ１１１を予備ねじ保持穴２３ａ内に取り外し可能な状態で保持することができる。
【００５５】
また、上述した封印部材３１の予備ねじ保持板３３は、予備ねじ保持部材２３に保持された予備ねじ１１１の頭部１１ｂの上方に覆設されており、予備ねじ保持板３３の下面と予備ねじ１１１の頭部１１ｂの頂部とは当接している。よって、予備ねじ１１１の頭部１１ｂは予備ねじ保持板３３により押さえられているので、予備ねじ１１１の抜け落ちが防止され、予備ねじ１１１の紛失を防止することができる。また、予備ねじ保持部材２３に保持された予備ねじ１１１の頭部１１ｂを掴んで、予備ねじ１１１を上方へ抜き取る不正行為等を防止することができる。尚、図６中の矢印はボックス蓋体３のスライド方向を示している。
【００５６】
次に、図２および図５を参照して、制御回路基板４の基板ボックス１への収納方法について説明する。まず、制御回路基板４をボックス本体２内に載置し、その制御回路基板４の前側縁部に仕切板５を配置した後、各凹部５ｂから各凹部５ｂの穴部（図示せず）および制御回路基板４の各通穴４ａへ木ねじ等が挿入される。木ねじ等の挿入後、その木ねじ等がボックス本体２の底板２ａへねじ込まれ、制御回路基板４および仕切板５がボックス本体２にねじ止めされて、制御回路基板４および仕切板５がボックス本体２に取着される。一方、ボックス本体２の側壁２ｂ，２ｃにそれぞれ配設された各封印部材２１の嵌合穴２１ｂ内にストッパ部材１３を挿入し、その上方からナット１２を嵌合穴２１ａ，２１ｂ内にそれぞれ嵌合させる。その後、各封印ユニット２０の各封印部材２１に設けられた予備ねじ保持穴２３ａ内に予備ねじ１１１をそれぞれ挿入する。
【００５７】
各予備ねじ１１１が各予備ねじ保持穴２３ａ内に完全に挿入された後、ボックス蓋体３の各係合爪３ｄ１の先端部分をボックス本体２の各係合枠２ｄ１の挿入口２ｄ２へ挿入して、各係合枠２ｄ１と係合爪３ｄ１とを係合させて、ボックス本体２とボックス蓋体３との互いの開口面を合致させ、ボックス本体２の底板２ａに対してボックス蓋体３の天板３ａを対向させつつ、ボックス本体２の上方にボックス蓋体３を覆設させる。
【００５８】
ボックス蓋体３の覆設後、図２または図５の矢印方向へボックス蓋体３をスライドさせると、ロック板２ｆ，３ｆが係合板３ｇ，２ｇの挿入口３ｈ，２ｈにそれぞれ挿入され、ロック板２ｆ，３ｆおよび係合板３ｇ，２ｇが係合されてボックス本体２とボックス蓋体３とが結合される。一方、ボックス蓋体３が図２または図５の矢印方向へスライドされると、封印部材２１の上面部分に凸設された周壁２４は、封印部材３１の下面部分に凹設された嵌合溝３５に填り込み、封印部材３１の下面部分に凸設された周壁３４は、封印部材２１の上面部分に凹設された嵌合溝２５に填り込み、封印部材２１，３１が合致される。    
【００５９】
このように合致された封印部材２１，３１によれば、その当接面（対向面）の間、即ち、周壁２４と嵌合溝３５との当接面の間、又は、周壁３４と嵌合溝２５との当接面の間へ薄板状の工具等を差し込み、封印ねじ１１がナット１２およびストッパ部材１３ごと封印部材２１から引き抜き基板ボックス１を開封しようとしても、薄板状の工具等の先端部分が周壁２４，３４又は嵌合溝２５，３５に引っ掛かるので、その差し込みが防止される。一方、封印部材２１，３１が合致されると、各予備ねじ保持板３３は、各予備ねじ保持部材２３に保持された各予備ねじ１１１の頭部１１ｂ上方に覆設される。
【００６０】
ボックス本体２とボックス蓋体３とが結合され、封印部材２１，３１が合致されると、ボックス蓋体３に穿設された各通穴３ｅ１と仕切板５に凹設された各ねじ穴５ａとが対向しつつ合致する。その後、各通穴３ｅ１を介して仕切板５の各ねじ穴５ａへ木ねじ等をねじ込み、ボックス本体２、ロック板２ｆ，３ｆ、係合板３ｇ，２ｇおよびボックス蓋体３の各凹部３ｅに跨るようにして、ボックス蓋体３の各凹部３ｅに封印シールをそれぞれ貼付する。
【００６１】
次に、各ボックス封印具１０の封印部材３１のうち、ボックス蓋体３の側壁３ｂの最も後側に配設された封印部材３１、及び、ボックス蓋体３の側壁３ｃの最前側に配設された封印部材３１の各挿入穴３１ｂ内に封印ねじ１１の先端部１１ｃをそれぞれ挿入する。封印ねじ１１挿入後、封印ねじ１１の係合溝１１ｇにスクリュードライバ等のねじ回し工具を係合し、封印ねじ１１をナット１２にねじ込む。封印ねじ１１がねじ込まれると、封印ねじ１１のおねじ部１１ｄは、ナット１２のめねじ部１２ｃに螺入される。封印ねじ１１のねじ込みが続行されると、封印ねじ１１の先端部１１ｃは、ナット１２の下方に配置されたストッパ部材１３の受け部１３ａに到達し、内孔１３ｂへと案内される。封印ねじ１１の先端部１１ｃが内孔１３ｂへ案内され挿入されると、先端部１１ｃのテーパ部Ｔ１により、ストッパ部材１３の内孔１３ａが押し広げられ、ストッパ部材１３の受け部１３ａが弾性変形する。
【００６２】
封印ねじ１１が更にねじ込まれると、封印ねじ１１のおねじ部１１ｄとナット１２のめねじ部１２ｃとの螺合が解除され、おねじ部１１ｄおよび非おねじ部１１ｅはそれぞれ保持穴１２ｄおよびめねじ部１２ｃ内に挿設され、封印ねじ１１の係止溝１１ｆがストッパ部材１３により係止され、封印ねじ１１が封印部材２１内にて抜き取り不可能な状態で保持される。一方、封印ねじ１１の頭部１１ｂは、封印部材３１の係合穴３１ａ内に係合される。
【００６３】
その結果、封印ねじ１１を反ねじ込み方向へ回転させた場合、封印ねじ１１のおねじ部１１ｄは、ナット１２の保持穴１２ｄ内にて空回し、封印ねじ１１を封印部材２１内から抜き取り不可能にすることができる。更に、封印ねじ１１の頭部１１ｂは、封印部材３１の係合穴３１ａに係合されているので、基板ボックス１のボックス本体２とボックス蓋体３とが開封不可能に連結され、基板ボックス１を確実に封印することができる（図５参照）。よって、基板ボックス１に被包された制御回路基板４の制御用ＲＯＭ等を不適法に取り外して、パチンコ機５０の遊技内容を変更する不正行為を防止することができる。また、封印部材２１，３１を破壊、切断等すれば基板ボックス１を開封することができるが、その場合には、基板ボックス１が開封された痕跡を確実に残すことができる。即ち、不正行為が行われたか否かを即座に発見することができる。
【００６４】
また、このようにして基板ボックス１が封印されると、各予備ねじ保持穴２３ａに保持された各予備ねじ１１１は、各予備ねじ保持板３３により、確実に係止され、各予備ねじ保持穴２３ａ内に抜き取り不可能な状態で保持される。よって、予備ねじ１１１が予備ねじ保持穴２３ａから抜け落ちることが防止されるので、予備ねじ１１１の紛失を防止することができる。また、予備ねじ１１１の不正な抜き取りを防止することができる。
【００６５】
このように本実施例のボックス封印具１０によれば、封印ねじ１１によって連結された封印部材２１，３１の当接面（対向面）の外周には、周壁２４，３４が凸設され、かつ、その周壁３４，２４に適合して形成された嵌合溝２５，３５が凹設されている。よって、封印部材２１，３１の当接面の間、即ち、周壁２４と嵌合溝３５との当接面の間、又は、周壁３４と嵌合溝２５との当接面の間へ薄板状の工具等を差し込み、封印ねじ１１をナット１２およびストッパ部材１３ごと封印部材２１から引き抜き、基板ボックス１を開封しようとしても、薄板状の工具等の先端部分が周壁２４，３４又は嵌合溝２５，３５に引っ掛かるので、その差し込みを防止することができる。従って、基板ボックス１のこじ開けが防止されて、基板ボックス１に収納された制御回路基板４からＲＯＭ等を取り外して交換し、パチンコ機５０の遊技内容を変更する不正行為を防止することができる。
【００６６】
図７は、第２実施例のボックス封印具１１０の部分的な側断面図であり、図中の矢印はボックス蓋体３のスライド方向を示している。第２実施例のボックス封印具１１０は、上述した第１実施例のボックス封印具１０に対して、封印部材２１，３１の当接面の形状を変更したものである。以下、第１実施例と同一の部分には同一の番号を付してその説明は省略し、異なる部分のみ説明する。
【００６７】
第１実施例のボックス封印具１０の封印部材２１，３１の当接面（対向面）には、周壁２４，３４が凸設され、かつ、その周壁３４，２４に適合して形成された嵌合溝２５，３５が凹設された。しかしながら、第２実施例のボックス封印具１１０では、図７のに示すように、封印部材２１の上面右側縁部分に外方へ向けて下降傾斜した傾斜面部１２４が形成され、封印部材３１の下面右側縁部分に外方へ向けて下降傾斜した傾斜面部１３４が封印部材２１の傾斜面部１２４に適合して形成されている。
【００６８】
このように封印部材２１，３１の当接面（対向面）を構成することにより、薄板状の工具等を用いてボックス封印具１１０をこじ開ける場合、かかる薄板状の工具等を傾斜面部１２４，１３４に沿わせて傾斜させて差し込む必要がある。この場合、薄板状の工具等の先端部分は、封印部材２１，３１の水平な当接面に引っ掛かり、深く差し込むことができない。よって、封印部材２１，３１の当接面の間へ薄板状の工具等を差し込み、封印ねじ１１をナット１２およびストッパ部材１３ごと封印部材２１から引き抜き基板ボックス１を開封することができず、基板ボックス１に収納された制御回路基板４からＲＯＭ等を取り外して交換し、パチンコ機５０の遊技内容を変更する不正行為を防止することができる。
【００６９】
図８は、第３実施例のボックス封印具２１０の部分的な正面断面図である。第３実施例のボックス封印具２１０は、上述した第１実施例のボックス封印具１０に対して、まず、封印部材２１，３１の当接面の形状が変更されている。即ち、第１実施例では、封印部材２１，３１の当接面には、周壁２４，３４が凸設され、かつ、その周壁３４，２４に適合して形成された嵌合溝２５，３５が凹設された。しかしながら、第３実施例では、図８のに示すように、封印部材２１，３１の当接面２１１，３１１がそれぞれ鋸歯状に形成されている。当接面２１１，３１１は互いに歯合可能に形成されており、図８の前後方向、即ち、図８の紙面に対して垂直方向にスライド可能に形成されている。よって、封印部材２１，３１を合致させるために、ボックス蓋体３をボックス本体２に対して、図８の前後方向へスライドさせることができるのである。
【００７０】
このように、封印部材２１，３１の当接面２１１，３１１を鋸歯状に形成することにより、薄板状の工具等を当接面２１１，３１１の間へ差し込んでボックス封印具２１０により封印された基板ボックス１をこじ開け開封しようとしても、薄板状の工具等は鋸歯状に形成された当接面２１１，３１１に引っ掛かり、その差し込みを防止することができる。    
【００７１】
また、鋸等の工具を用いて封印部材２１，３１を連結する封印ねじ１１を切断し基板ボックス１を開封する場合には、封印部材２１，３１の当接面２１１，３１１付近を切断しなければならない。よって、不正行為を行った者が、不正行為を隠蔽する場合には、切断部分に接着剤等を塗布し、当接面２１１，３１１の鋸歯形状を修復する必要がある。しかしながら、かかる鋸歯形状の当接面２１１，３１１を修復して切断の痕跡を隠蔽することは容易ではなく、不正行為の隠蔽を確実に行うことができないので、不正行為が早期に発見されるとともに、かかる不正行為を抑制することができる。
【００７２】
また、ボックス封印具２１０の互いに対向する封印部材２１，３１は異なる色に着色されている。ところで封印部材２１，３１を連結する封印ねじ１１を鋸等の工具を用いて切断して基板ボックス１を開封する場合に、封印部材２１と封印部材３１との当接面２１１，３１１付近を切断しなければならないが、封印部材２１，３１は互いに異なる色に着色されているので、ボックス封印具２１０の切断部分を接着剤等を用いてを修復し、その切断を隠蔽するためには、切断部分の色彩を再現する必要がある。しかしながら、かかる切断部分の色彩を再現することは困難であり、切断の痕跡を隠蔽することは容易ではない。従って、不正行為の隠蔽を確実に行うことができないので、不正行為を早期に発見できると共に、かかる不正行為を抑制することができる。
【００７３】
尚、ボックス封印具２１０の着色パターンとしては、上下対向する封印部材２１，３１の色が異なっていれば良く、例えば、封印ユニット２０の各封印部材２１の全てを１の色（例えば、赤色）に着色し、その封印ユニット２０に対向する封印ユニット３０の各封印部材３１の全てを他の色（例えば、緑色）に着色しても良い。また、封印ユニット２０の４つの封印部材２１のそれぞれを異なる色、例えば、赤色、青色、黄色、緑色に着色し、その赤色の封印部材２１に対向する封印部材３１を緑色、青色の封印部材２１に対向する封印部材３１を黄色、黄色の封印部材２１に対向する封印部材３１を青色、緑色の封印部材２１に対向する封印部材３１を赤色に着色しても良い。
【００７４】
更に、第３実施例のボックス封印具２１０は、封印部材２１および封印部材３１の外周面（外周）に針金材等で構成されたワイヤ部材２１２，３１２が格子状に略等間隔で周設されているので、鋸等の工具を用いてボックス封印具２１０を切断して基板ボックス１を開封する場合に、鋸等の工具の歯がワイヤ部材２１２やワイヤ部材３１２に引っ掛かる。よって、鋸等の工具による切断が行われると、ワイヤ部材２１２，３１２によって切断部分以外の封印部材２１，３１の各部分が破壊されて、切断の痕跡を残すことができる。このように破壊された封印部材２１，３１を修復して切断の痕跡を隠蔽することは容易ではなく、不正行為の隠蔽を確実に行うことができない。よって、不正行為が早期に発見されると共に、かかる不正行為を抑制することができる。
【００７５】
以上、実施例に基づき本発明を説明したが、本発明は上記実施例に何ら限定されるものではなく、本発明の趣旨を逸脱しない範囲内で種々の改良変形が可能であることは容易に推察できるものである。
【００７６】
ボックスベースとボックスカバーとを有する遊技機用基板ボックス内に回路基板を被包して封印するための遊技機用基板ボックス封印具において、前記ボックスベースに配設される第１封印部材と、その第１封印部材に対向し前記ボックスカバーに配設される第２封印部材と、その第２封印部材および第１封印部材を連結し前記遊技機用基板ボックスを封印する連結封印部材とを備え、前記第１封印部材および第２封印部材の対向面にはそれぞれ適合した傾斜面が形成されていることを特徴とする遊技機用基板ボックス封印具１。
【００７７】
この遊技機用基板ボックス封印具１によれば、回路基板をボックスベースまたはボックスカバー内に収納し、ボックスベースに配設された第１封印部材とボックスカバーに配設された第２封印部材とを対向させつつ、ボックスベースにボックスカバーを合致させることにより、回路基板が遊技機用基板ボックスにより被包される。回路基板の被包後、連結封印部材によって第１封印部材と第２封印部材とを連結することにより、遊技機用基板ボックス内に被包された回路基板が封印される。この第１封印部材と第２封印部材との対向面にはそれぞれ適合した傾斜面が形成されている。よって、かかる各対向面の間へ薄板状の工具等を差し込んで遊技機用基板ボックス封印具１をこじ開け開封しようとしても、薄板状の工具等は各封印部材の対向面に形成された傾斜面に引っ掛かるので、その差し込みを防止することができる。従って、遊技機用基板ボックスのこじ開けを防止して、遊技機用基板ボックスに収納された回路基板への不正行為を防止することができる。
【００７８】
ボックスベースとボックスカバーとを有する遊技機用基板ボックス内に回路基板を被包して封印するための遊技機用基板ボックス封印具において、前記ボックスベースに配設される第１封印部材と、その第１封印部材に対向し前記ボックスカバーに配設される第２封印部材と、その第２封印部材および第１封印部材を連結し前記遊技機用基板ボックスを封印する連結封印部材とを備え、前記第１封印部材および第２封印部材の対向面はそれぞれ適合した鋸歯形状に形成されていることを特徴とする遊技機用基板ボックス封印具２。
【００７９】
この遊技機用基板ボックス封印具２によれば、回路基板をボックスベースまたはボックスカバー内に収納し、ボックスベースに配設された第１封印部材とボックスカバーに配設された第２封印部材とを対向させつつ、ボックスベースにボックスカバーを合致させることにより、回路基板が遊技機用基板ボックスにより被包される。回路基板の被包後、連結封印部材によって第１封印部材と第２封印部材とを連結することにより、遊技機用基板ボックス内に被包された回路基板が封印される。この第１封印部材と第２封印部材との対向面はそれぞれ適合した鋸歯形状に形成されている。よって、かかる各対向面の間へ薄板状の工具等を差し込んで遊技機用基板ボックス封印具２をこじ開け開封しようとしても、薄板状の工具等は各封印部材の鋸歯形状に形成された対向面に引っ掛かるので、その差し込みを防止することができる。従って、遊技機用基板ボックスのこじ開けを防止して、遊技機用基板ボックスに収納された回路基板への不正行為を防止することができる。
【００８０】
また、鋸等の工具を用いて各封印部材を連結する連結封印部材を切断し遊技機用基板ボックスを開封する場合には、第１封印部材と第２封印部材との対向面付近を切断しなければならない。よって、不正行為を行った者が、不正行為を隠蔽するためには、切断部分に接着剤等を塗布し、対向面の鋸歯形状を修復する必要がある。しかしながら、かかる鋸歯形状の対向面を修復して切断の痕跡を隠蔽することは容易ではなく、不正行為の隠蔽を確実に行うことができない。従って、不正行為を早期に発見できると共に、かかる不正行為を抑制することができる。
【００８１】
遊技機用基板ボックス封印具１，２、又は、請求項１記載の遊技機用基板ボックス封印具において、前記第１封印部材および第２封印部材は異なる色に着色されていることを特徴とする遊技機用基板ボックス封印具３。この遊技機用基板ボックス封印具３によれば、鋸等の工具を用いて各封印部材を連結する連結封印部材を切断し遊技機用基板ボックスを開封する場合には、第１封印部材と第２封印部材との対向面付近を切断しなければならない。各封印部材は互いに異なる色に着色されているので、遊技機用基板ボックス封印具３の切断部分を接着剤等を用いて修復し、その切断を隠蔽するためには、切断部分の色彩を再現する必要がある。しかしながら、かかる切断部分の色彩を再現することは困難であり、切断の痕跡を隠蔽することは容易ではない。従って、不正行為の隠蔽を確実に行うことができないので、不正行為を早期に発見できると共に、かかる不正行為を抑制することがきる。
【００８２】
遊技機用基板ボックス封印具１から３のいずれか、又は、請求項１記載の遊技機用基板ボックス封印具において、前記第１封印部材および第２封印部材の外周には針金材が格子状に周設されていることを特徴とする遊技機用基板ボックス封印具４。この遊技機用基板ボックス封印具４によれば、各封印部材の外周には針金材が格子状に周設されているので、鋸等の工具を用いて遊技機用基板ボックス封印具４を切断して遊技機用基板ボックスを開封する場合に、鋸等の工具の歯が針金材に引っ掛かる。よって、鋸等の工具による切断が行われると、針金材によって切断部分以外の封印部材の各部分が破壊されて、切断の痕跡を残すことができる。このように破壊された各封印部材を修復して切断の痕跡を隠蔽することは容易ではなく、不正行為の隠蔽を確実に行うことができない。従って、不正行為を早期に発見できると共に、かかる不正行為を抑制することができる。
【図面の簡単な説明】
【００８３】
【図１】本発明の遊技機用基板ボックス封印具の一実施例であるボックス封印具を有する基板ボックスが配設されたパチンコ機の裏面図である。
【図２】ボックス封印具を有する基板ボックスの分解斜視図である。
【図３】基板ボックスに配設されたボックス封印具の拡大斜視図である。
【図４】天板を下方へ向けた状態のボックス蓋体の部分的拡大図である。
【図５】基板ボックスを封印した状態におけるボックス封印具の部分断面図である。
【図６】予備ねじを保持した状態におけるボックス封印具の部分断面図である。
【図７】第２実施例のボックス封印具の部分的な側断面図である。
【図８】第３実施例のボックス封印具の部分的な正面断面図である。
【符号の説明】
【００８４】
１                    基板ボックス（基板ユニット）
２                    ボックス本体（ベース、ベース体の一部）
２ｂ，２ｃ            側壁（第１取付部）
３                    ボックス蓋体（カバー、カバー体の一部）
３ｂ，３ｃ            側壁（第２取付部）
４                    制御回路基板（回路基板）
５                    仕切板
１０，１１０，２１０  ボックス封印具（遊技機）
１１                  封印ねじ（連結封印部材）
１２                  ナット
１３                  ストッパ部材
２０                  封印ユニット（第１封印手段、ベース体の一部）
３０                  封印ユニット（第２封印手段、カバー体の一部）
２１                  封印部材（第１封印部）
３１                  封印部材（第２封印部）
２２                  連結部材（第１連結部）
３２                  連結部材（第２連結部）
２３                  予備ねじ保持部材（予備用部材保持部）
２４，３４            周壁
２５，３５            嵌合溝
３３                  予備ねじ保持板（予備用部材係止部）
５０                  パチンコ機（遊技機）
５１                  遊技盤
５２                  入賞球集合カバー
１１１                予備ねじ（予備用連結封印部材）
１２４，１３４        傾斜面部
２１１，３１１        当接面
２１２，３１２        ワイヤ部材